(57)【要約】【課題】    季節に応じて衣類を入れ替えることなく、現在使用する衣類を、季節に関わりなく正面側に収納することを可能にし、衣類の出し入れを容易にする衣類収納家具を提供する。【解決手段】  衣類収納家具１０１は、本体部１３と、前部側の引出１，３，５と、後部側の引出７、９、１１と、キャスタ１５と、を有している。前部側の引出１，３，５は、本体部１３の前部に収容され、本体部１３の前面から引出し可能であり、複数段に配置されている。後部側の引出７、９、１１は、本体部１３の後部に収容され、本体部１３の背面から引出し可能であり、同じく複数段に配置されている。キャスタ１５は、本体部１３に取り付けられ、本体部１３を床面１０上に支持するとともに、本体部１３の並進移動及び回転移動を可能にする。本体部１３の天面１７は、平坦である。【選択図】  図２
0003208679.tif 000002
【実用新案登録請求の範囲】
【請求項１】
本体部と、
前記本体部の前部に収容され、前記本体部の前面から引出し可能であり、複数段に配置された前部側の引出と、
前記本体部の後部に収容され、前記本体部の背面から引出し可能であり、複数段に配置された後部側の引出と、
前記本体部に取り付けられ、前記本体部を床面上に支持するとともに、前記本体部の並進移動及び回転移動を可能にするキャスタと、を備える衣類収納家具。
【請求項２】
前記本体部の天面は平坦である、請求項１に記載の衣類収納家具。
【考案の詳細な説明】
【技術分野】
【０００１】
本考案は、季節を問わずに衣類を出し入れするのに便宜な衣類収納家具に関する。
【背景技術】
【０００２】
衣類は、一般に季節への適不適があり、夏期には冬物衣類は無用であり、冬期には夏物衣類は無用である。このため、洋服タンスなどの衣類収納家具の引出（ひきだし）等には、夏物と冬物とを分けて収納するのが通例となっている。この場合、衣類収納家具の引出等のうち、常時使用するのは半分ほどであり、残りの半分は使用されないままとなる。
【０００３】
このような問題を解決するものとして、特許文献１に記載の衣類収納家具が知られている。この従来技術による衣類収納家具は、前部と後部のそれぞれに、衣類を吊り下げて収納する収納部を有しており、後部の収納部は、衣類の出し入れを可能にするために、側方に引出し可能となっている。現在使用する衣類は、出し入れの容易な前部の収納部に収納し、現在の季節に適合しない衣類は、出し入れの面倒な後部の収納部に収納することができ、それにより、出し入れに便宜な家具前部の全体を、季節に関わりなく、現在使用する衣類のために生かすことができる。
【０００４】
しかし、この従来技術による衣類収納家具では、季節の変わり目毎に、前部と後部の収納部の間で衣類を入れ替えるという、面倒な作業を要する。
【先行技術文献】
【特許文献】
【０００５】
【特許文献１】特開2004-202063号公報
【考案の概要】
【考案が解決しようとする課題】
【０００６】
本考案は上記の問題点に鑑みてなされたもので、季節に応じて衣類を入れ替えることなく、現在使用する衣類を、季節に関わりなく正面側に収納することを可能にして、衣類の出し入れを容易にする衣類収納家具を提供することを目的とする。
【課題を解決するための手段】
【０００７】
上記課題を解決し上記目的を達成するために、本考案のうち第１の態様によるものは、衣類収納家具であって、本体部と、前記本体部の前部に収容され、前記本体部の前面から引出し可能であり、複数段に配置された前部側の引出と、前記本体部の後部に収容され、前記本体部の背面から引出し可能であり、複数段に配置された後部側の引出と、前記本体部に取り付けられ、前記本体部を床面上に支持するとともに、前記本体部の並進移動及び回転移動を可能にするキャスタと、を備えている。
【０００８】
この構成によれば、例えば、前部側の引出に夏物衣類を、後部側の引出に冬物衣類を収納し、季節の移り変わりに応じて、衣類収納家具を回転させて前後を逆にすることができる。それにより、前部と後部の引出の間で衣類の入れ替えをすることなく、現在使用する衣類を、季節に関わりなく、正面側となる引出に収納し、出し入れを容易にすることができる。なお、本考案において、本体部の「前部」と「後部」は、いずれが「前部」で、いずれが「後部」かを、見分けることができることを要するものではなく、一方を「前部」と称すれば他方は「後部」となる関係であれば足りる趣旨である。「前面」は、「前部」と称した側の面であり、「背面」は「後部」と称した側の面である。
【０００９】
本考案のうち第２の態様によるものは、第１の態様による衣類収納家具であって、前記本体部の天面は平坦である。
【００１０】
この構成によれば、天面が平坦であるので、衣類収納家具を、天面に物を置く台、あるいはテーブルとして使用することも可能である。
【考案の効果】
【００１１】
以上のように本考案によれば、季節に応じて衣類を入れ替えることなく、現在使用する衣類を、季節に関わりなく正面側に収納することを可能にして、衣類の出し入れを容易にする衣類収納家具が得られる。
【図面の簡単な説明】
【００１２】
【図１】本考案の一実施の形態による衣類収納家具の斜視図である。
【図２】図１の衣類収納家具について、全ての引出を引き出したときの様子を示す斜視図である。
【図３】図１の衣類収納家具について、一部を切断して縦断面を同時に示す側面図である。
【図４】図１の衣類収納家具について、前後を逆にするように回転させる操作を示す斜視図である。
【考案を実施するための形態】
【００１３】
図１は、本考案の一実施の形態による衣類収納家具の斜視図である。また、図２は、同衣類収納家具について、全ての引出を引き出したときの様子を示す斜視図である。さらに、図３は、同衣類収納家具について、一部を切断して縦断面を同時に示す側面図である。この衣類収納家具１０１は、全体に箱型であり、複数段の引出１、３、５を前部に有しており、同様に複数段の引出７，９，１１を後部に有している。ここで、「前部」と「後部」は、いずれが「前部」であり、いずれが「後部」であるかを、区別できることを要するものではなく、一方が「前部」であれば、他方は「後部」となる関係であれば足りる。
【００１４】
引出１、３、５、７、９、１１は、衣類を収納するのに適する大きさに作られている。引出１，３，５及び引出７，９，１１は、いずれも使用者の手前側に引き出し可能なように本体部１３に収容されている。図１〜図３の例では、衣類収納家具１０１は、前後が対称となるように構成されており、引出１と引出７、引出３と引出９、引出５と引出１１は、それぞれ、同一の大きさ及び形状に作られている。これに対して、衣類収納家具１０１が前後非対称となるように、引出の段数、大きさ、形状を前後の間で異ならせても良い。この場合においても、いずれが「前部」であり、いずれが「後部」であるかを、区別できることを、必ずしも要しない。
【００１５】
本体部１３の底面の四隅付近には、４個のキャスタ１５が取り付けられている。これらのキャスタ１５により、本体部１３は、床１０の上に支えられ、しかも床１０の上で並進移動させたり、回転移動させたりすることが可能である。図４は、本体部１３を回転させる様子を表している。
【００１６】
衣類収納家具１０１の寸法は、一例として、床１０から本体部１３の天面１７までの高さが８０ｃｍ程度であり、前後方向の奥行きが７０ｃｍ程度である。図１〜図４の例では、天面１７は平坦であり、そのため、衣類収納家具１０１を、天面１７上に物を置く台として、あるいはテーブルとして使用することが可能である。
【００１７】
衣類収納家具１０１は、以上のように構成されているので、例えば、引出１，３，５には夏物衣類を収納し、引出７，９，１１には冬物衣類を収納し、夏物衣料が必要な時期には引出１，３，５が正面側となり、冬物衣類が必要な時期には引出７，９，１１が正面側となるように、本体部１３を回転させることができる。また、正面側とは反対側の背面側が部屋の壁に当たるように、あるいは近接するように、衣類収納家具１０１を部屋の壁側に寄せておくことが可能である。それにより、衣類収納家具１０１を部屋の中で邪魔にならないように置きつつも、使用する衣類を、季節によらずに常に正面側の引出に出し入れすることができる。すなわち、衣類収納家具１０１によれば、季節に応じて衣類を引出の間で入れ替えることなく、現在使用する衣類を、季節に関わりなく正面側に収納して、出し入れを容易にすることができる。
【符号の説明】
【００１８】
１、３、５、７、９、１１  引出、  １０  床、  １３  本体部、  １５  キャスタ、  １７  天面、  １０１  衣類収納家具。
【図１】
0003208679.tif 000003
【図２】
0003208679.tif 000004
【図４】
0003208679.tif 000005
【図３】
0003208679.tif 000006